(57)【要約】  【課題】十分に簡易な構成でありながら、高感度でホコリ、花粉、煙粒子を感知することができる粒子検出装置、及びそれに使用される検出方法を提供する。  【解決手段】  粒子検出装置１０は、光源２０及び該光源２０からの光を検出する検出装置３０を備え、光の通過位置にある空気中に浮遊した粒子を検出する。装置１０は、さらに、光の通過位置にある空気の気流が一定に或いはほぼゼロになるよう制御できる気流発生・制御装置１５を有し、検出装置３０の光検出器３１にイメージセンサを用いる。イメージセンサにより確認される移動物の移動速度及び寸法形状を含む画像情報から所定の粒子を識別する。【選択図】図１
2007057360.tif 000002
【特許請求の範囲】
【請求項１】
光源及び該光源からの光を検出する光検出器を備え、前記光の通過位置にある空気中に浮遊した粒子を検出する粒子検出装置において、
前記光の前記通過位置にある空気の気流が一定に或いはほぼゼロになるよう制御できる気流発生・制御装置を有し、前記光検出器にイメージセンサを用いて、該イメージセンサにより確認される移動物の移動速度及び寸法形状を含む画像情報から所定の粒子を識別することを特徴とする粒子検出装置。
【請求項２】
前記光源及び前記イメージセンサは、前記光源からの前記光が前記イメージセンサに直接受光されるように配置され、前記気流発生・制御装置によって発生する気流が、前記光を交差して流れるよう構成されることを特徴とする、請求項１に記載の粒子検出装置。
【請求項３】
前記光源及び前記イメージセンサは、前記気流発生・制御装置によって発生する気流を挟んで若しくは気流の同側に、傾斜方向に向けて配置され、前記光源からの光によって前記気流内で生じる散乱光又は反射光が前記イメージセンサによって受光されるよう構成されることを特徴とする、請求項１に記載の粒子検出装置。
【請求項４】
前記空気の気流を一定にしたときの前記移動物の移動速度から、前記移動物の相対的な重さを計測することを特徴とする、請求項１に記載の粒子検出装置。
【請求項５】
前記光源は、半導体発光素子を含むことを特徴とする、請求項４に記載の粒子検出装置。
【請求項６】
粒子が浮遊する空気に気流を発生させる工程と、
前記気流が生じた位置に光を照射する工程と、
前記気流を通過した前記光、或いは前記気流内の前記粒子によって散乱された前記光を検出する工程と、
検出した前記光により確認される移動物の移動速度及び寸法形状を含む画像情報から所定の粒子を識別する工程とを有することを特徴とする粒子検出方法。
【請求項７】
前記空気の気流を一定にしたときの前記移動物の移動速度から、前記移動物の相対的な重さを計測する工程を有することを特徴とする、請求項６に記載の粒子検出方法。
【請求項８】
前記光は、半導体発光素子により提供されることを特徴とする、請求項６に記載の粒子検出方法。
【発明の詳細な説明】
【技術分野】
【０００１】
本発明は、空気中に浮遊するホコリ・花粉・煙等の微粒子を検出するための粒子検出装置、及びそれに使用される検出方法に関する。
【背景技術】
【０００２】
近年、花粉症他のアレルギー性患者の増大等に伴い、室内環境に対する意識が高まっている。そのため、空気清浄機やエアコン等の製品に関連して、それらが使用される環境に存在するホコリ・花粉・タバコの煙といった微粒子を高感度で感知することが要求されている。
【０００３】
多くのビルでは屋内環境をある一定以上に保つために空調設備を備えている。所定の室内環境を維持するため、そのような設備には、浮流粉塵量が一定水準以下になるよう法令等による規制が設けられている。一方で、近年、エネルギー削減の観点から、空調設備の効率的な運転が望まれている。従って、浮流粉塵量をより精度良く測定できる手段が強く望まれている。
【０００４】
従来、室内に浮遊するホコリ・花粉・煙等の微粒子を感知するための種々のセンサ装置及び感知手法が知られている。
【０００５】
一例として、吸入機能を備え、測定したい気体を外部より取り入れ、次に内部のＬＥＤから測定したい気体に対し光を照射し、その空間に浮遊する粒子によって散乱光を検出することで粒子の有無を判断する装置が知られている（特許文献１）。
【０００６】
散乱光の測定でなく、透過光の偏光状態の変化から粒子を検出する装置も知られている（特許文献２）。当該装置によれば、ホコリと煙を分離して検出するために照射する光をパルス状にしている。煙は非常に細かな粒子（粒子径：０．０１ミクロン〜数ミクロン）であるので、空気中に滞在する時間が長い。一方、ホコリや花粉は粒子の形状が大きく、重いので、空気中に漂うが、落下速度は速い。このためにパルス状に光を照射すると煙が入った場合にはセンサの出力は徐々に変化するが、ホコリが入ってきた場合にはセンサの出力は煙が入ってきた場合と比較すると急激に変化するので、ホコリと煙を識別できる。いずれにしても時間的な変化の情報からホコリ、煙を識別している。
【０００７】
さらに、花粉を感知するためのセンサ装置で、花粉とそれ以外の微粒子を識別するためにレーザを利用する装置も知られている（特許文献３）。レーザと２つの光検出器を用いる。まず測定したい気体にレーザ光を照射し、照射したレーザ光に対して偏光の垂直成分と水平成分の２つの散乱光を検出し、その出力から、花粉かあるいはそれ以外かを識別する。散乱される光の偏光状態の違いから花粉とそれ以外の微粒子の識別を行っている。
【特許文献１】特開２０００−３５６５８３号
【特許文献２】特開２００１−８３０７９号
【特許文献３】特開２００４−１２５６０２号
【発明の開示】
【発明が解決しようとする課題】
【０００８】
従来の装置では、特定寸法の粒子を一定の感度で検出することができ、実用化されているものも存在する。しかしながら、その性能は必ずしも十分ではなく、さらなる改良が求められている。
【０００９】
例えば、既存の微粒子センサは、検出にフォトダイオードないしはフォトトランジスタを用いており、ホコリ・花粉・煙粒子といった微粒子によって光が散乱または遮蔽される効果を利用して、その有無を検出している。かかる装置では、センサの出力は、微粒子の大きさ、及びその微粒子の反射率（散乱の場合）のみに依存した値となる。そのため２０ミクロン〜５０ミクロンの微粒子ではホコリと花粉とを区別することは難しい。前述の偏光を利用した手法もあるがこの方法によっても完全ではない。
【００１０】
そこで、本発明は、従来の装置・方法と比較しても十分に簡易な構成でありながら、高感度でホコリ、花粉、煙粒子を感知することができる粒子検出装置、及びそれに使用される検出方法を提供することをその目的とする。また、本発明は、検出されたデータを解析することによってホコリ、花粉、煙粒子の浮流量をそれぞれ個別に出力することができる装置・手法を提供することをその目的とする。
【課題を解決するための手段】
【００１１】
本発明の粒子検出装置では、特に光を検出するための手段として、イメージセンサを用いる。典型的には、イメージセンサは、ＣＭＯＳイメージセンサであるが、ＣＣＤイメージセンサ等も使用可能である。本発明では、光検出要素が２次元又は１次元に配置されるイメージセンサを用いることにより、高感度で微粒子を観測することができる。
【００１２】
本発明では、粒子の性質を利用することにより、粒子を効率的に識別する。各粒子の性質は以下のとおりである。
（ａ）煙粒子：大きさはミクロン以下で、気体中に一様に分布する。
（ｂ）花粉：大きさは２０ミクロン〜５０ミクロンで、重く、単発的に吸入される。
（ｃ）ホコリ：大きさは１００ミクロン以下で、軽く、単発的に吸入される。
そこで、本発明の装置は、測定対象となる空気に気流を発生させることができる手段を備える。気流は、重力に逆らう方向（例えば上向き）、或いは、重力に順する方向（例えば下向き）に生じる。    
【００１３】
粒子の識別は、以下のアルゴリズムに沿って行われる。
【００１４】
（Ａ）煙粒子の識別
煙の粒子は小さく、煙が装置に吸入されると、空間的に一様に拡散する。そのため、イメージセンサを用いた測定では、空気を取り込む際に、撮像対象となる全範囲で画像情報に変化が生じる。さらに、イメージセンサからの出力で、空間的な標準偏差が、ホコリ・花粉と比べると非常に小さいことが検知される。  この過程で煙と判断されなかった微粒子はホコリないしは花粉と判断される。
【００１５】
（Ｂ）ホコリ及び花粉の識別
（Ｂ−１）イメージセンサからの出力をある閾値で２値化し、散乱又は遮蔽している粒子の大きさを求める。この大きさが２０ミクロン以下、若しくは５０ミクロン以上の場合、ホコリと判断する。
（Ｂ−２）微粒子の大きさが２０ミクロン以上、５０ミクロン以下と判断された場合は、浮遊粒子の移動速度を計算し、その移動速度がある一定以上の場合、ホコリと判断し、それ以外を花粉と判断する。気流が上昇気流でなく、微粒子が上から下へ流れるような場合には移動速度が速い微粒子を花粉と判断し、遅い微粒子をホコリと判断する。なお、浮遊粒子の移動速度は、イメージセンサから得られた出力について時間軸上でマッピング（相関）を取ることで計算する。
【００１６】
即ち、本発明によれば、光源及び該光源からの光を検出する光検出器を備え、光の通過位置にある空気中に浮遊した粒子を検出する粒子検出装置において、光の通過位置にある空気の気流が一定に或いはほぼゼロになるよう制御できる気流発生・制御装置を有し、光検出器にイメージセンサを用いて、該イメージセンサにより確認される移動物の移動速度及び寸法形状を含む画像情報から所定の粒子を識別することを特徴とする粒子検出装置を提供する。
【００１７】
光源及びイメージセンサは、光源からの光がイメージセンサに直接受光されるように配置され、気流発生・制御装置によって発生する気流が、光を交差して流れるよう構成され得る。他の場合には、光源及びイメージセンサは、気流発生・制御装置によって発生する気流を挟んで若しくはその同側に、傾斜方向に向くよう配置され、光源からの光によって気流内で生じる散乱光若しくは反射光がイメージセンサによって受光されるよう構成されても良い。空気の気流を一定にしたときの移動物の移動速度から、移動物の重さが決定され得る。なお、光源は、典型的には、半導体発光素子によって構成され得る。
【００１８】
さらに、本発明によれば、粒子が浮遊した状態にある空気に気流を発生させる工程と、気流が生じた位置に光を照射する工程と、気流を通過した光、或いは気流内の粒子によって散乱された光を検出する工程と、検出した光により確認される移動物の移動速度及び寸法形状を含む画像情報から所定の粒子を識別する工程とを有することを特徴とする粒子検出方法が提供される。
【００１９】
さらに、当該方法は、空気の気流を一定にしたときの移動物の移動速度から、移動物の重さを決定する工程を有しても良い。照射光は、典型的には半導体発光素子により提供される比較的大きな指向性を有する光とされる。また、測定対象となる粒子の寸法、濃度等が所定の条件下にあれば、積極的に気流を発生させることなく、自然な状態での粒子の拡散を利用することもできる。
【発明の効果】
【００２０】
本発明によれば、比較的簡易な構成でありながら、高感度でホコリ、花粉、煙粒子を感知することができる粒子検知装置、及び方法が実現される。特に、本発明の装置・方法によれば、空気中に浮遊するホコリ、花粉、煙粒子の量を個別に出力することができるので、当該出力を、空調設備他の装置の制御に、或いは環境分析のパラメータとして有効に利用することができる。
【発明を実施するための最良の形態】
【００２１】
以下に添付図面を参照して、本発明の最良の実施形態となる粒子検出装置、及び粒子検出方法について詳細に説明する。
【００２２】
図１は、本発明の第１の実施形態となる粒子検出装置の構成を示す概略図である。装置１０は、壁１１に包囲された部屋１２を有し、部屋１２に外部の空気を吸入するための吸入口１３、及び空気を排出する排出口１４を備える。空気を吸入するため、及び後述のように粒子の検出位置での気流を発生させるために、吸入口１３の内側には、気流発生・制御装置１５が設けられる。なお。気流発生・制御装置１５が、オン状態とされない状態でも、吸入口１３と排出口１４との間で空気が通過可能とされる。
【００２３】
気流発生・制御装置１５としては、典型的には、小型のファンとされるが、特に、気流を重力と逆方向である上昇方向に発生させる場合には、ヒータ等による空気の加熱装置が用いられ得る。吸入口１３から部屋１２内に進入した空気は、部屋１２内部を通過して排出口１４へと導かれる。図示しないが、吸入口１３から排出口１４までの間に、例えば筒状の気流ガイド手段が設けられても良い。また、気流発生・制御装置１５の前段には、検出したい微粒子以上の大きさの粒子は吸入されないようにするためにフィルタを装着しても良い。
【００２４】
装置１０は、さらに粒子を検出するための手段を含む。当該手段は、光源２０、及び検出装置３０を含む。本実施形態では、光源２０及び検出装置３０は、水平方向に向けて並置される。これにより、光源２０からの光は、検出装置３０によって直接受光され、光源２０と検出装置３０との間には、気流発生・制御装置１５により発生した気流が通過するように構成される。
【００２５】
光源２０は、発光素子２１、及びレンズ等の光学系２２から構成される。発光素子２１は、典型的には、コヒーレントな光を発光するレーザダイオード、或いは発光ダイオード等の半導体発光素子から構成され得る。感度の程度等を問わない場合には、他の発光素子も用いることが可能であるが、装置の設計上、発光された光がある程度の指向性を有することが望まれる。
【００２６】
一方、検出装置３０は、光検出器３１、及びレンズ等の光学系３２から構成される。光検出器３１には、ＣＭＯＳイメージセンサ或いはＣＣＤイメージセンサ等のイメージセンサが用いられる。光検出器３１は、外部の解析装置４０に検出信号を出力するよう構成される。
【００２７】
発光素子２１から照射された光は、光学系２２を通過して、測定対象となる気体へ照射される。一例では、発光素子２１から照射された光は、光学系２２によってほぼ平行光とされる。測定領域で気体を透過した光は、検出装置３０内で光学系３２により集光され、イメージセンサ３１によって画像として検出される。イメージセンサ３１は、当該画像の信号を解析装置４０に出力する。
【００２８】
光学系２２におけるレンズの焦点距離等の光学寸法は、発光素子２１からの光の放射角度と測定したい微粒子の径寸法によって決定される。具体的には、測定したい微粒子の大きさに対して数倍程度大きな直径の光束となるようにレンズの焦点距離を選ぶ必要がある。たとえば、１００ミクロン程度の微粒子を測定する際にはシステム全体の感度を保つため、数百ミクロン以上の直径となるように光を照射する必要がある。ただし、光を広い部分に照射すると検出する透過光のパワーが下がるので信号／ノイズ比を落とすことになるので最適化が必要とされる。
【００２９】
図２は、発光素子の動作及びイメージセンサの露光の動作タイミングを示すタイムチャートである。レーザダイオード等の発光素子２１には、消費電力を軽減する目的のため、連続（ＣＷ）光ではなくパルス状の光を発生させる。パルス光の周期Ｔ及び照射している時間ΔＴは、測定したい微粒子の移動速度から適当な値を選択する。周期Ｔが長すぎると微粒子そのものを検出できなかったり、あるいは撮影された像がぼやける等の問題が発生する。周期Ｔが短すぎると照射時間ΔＴも短くなるので信号／ノイズ比が悪化する問題もある。
【００３０】
図１のイメージセンサ３１の露光時間は、発光素子２１と同じ時間とされる。この時間は、システム全体の信号／ノイズ比を考慮して最適化される。イメージセンサの画素数は主に測定したい微粒子の大きさに依存する。測定する微粒子の大きさを１ミクロン〜１００ミクロンとする場合、画素数は１万画素程度とされる。
【００３１】
以下に煙粒子、ホコリ、花粉の検出にともなうアルゴリズムについて説明する。この手法は、本実施形態に限らず、後述の第２及び第３の実施形態となる装置にも適用される。
【００３２】
ここで、イメージセンサにより、ｘ軸（i番目）、ｙ軸（j番目）の出力を V(i,j)とする。レンズの焦点距離の構成によってはイメージセンサの出力は画素毎に違いがある場合もある。そのため始めに校正を行ない、すべての画素でオフセット、感度がある一定幅の中に入るように調整する。この調整は、ハードウェア手段、ソフトウェア手段のいずれによっても行うことができる。この後の記述ではV(i,j)はこの調整を行った後の出力値とする。
【００３３】
煙粒子、ホコリ、花粉等障害物が存在しない状況を考える。この場合、透過した光は散乱されることなくそのままイメージセンサによって検出されるので、その出力V_non(i,j)の画素全体の分散σ_non は非常に小さい。
【００３４】
煙粒子、ホコリ、花粉等、いずれかの微粒子が吸入されると、これらによって光が散乱され透過する光量が減少する。このことにより、微粒子の検出が可能となる。検出装置内部のLDの安定度、イメージセンサで発生するショットノイズ、増幅回路で発生するノイズや熱ノイズなどからある一定値V_noiseを設定し、この値を超えた場合に信号の入力があったと判断する。微粒子の吸入は、気流を発生させることにより行うが、気流を発生させない状態での粒子の自然な拡散作用、あるいは自然の吸引作用を利用しても良い。
【００３５】
信号が入力されたと判断された場合には、以下の手順により煙粒子、ホコリ、花粉を識別する。
【００３６】
１．すべての画素で信号が入力されたと判断された場合は、それが煙粒子によるものと判断する。
つまりすべての画素で、
V(i,j)  ＜  V_non − V_detect_1    
となったとき、煙と判断する。ここでV_detect_1は、V_noiseよりも大きい一定の閾値である。非常に大きな粒子が吸入された場合もすべての画素で信号が検出されるが、前に記載したように、この場合はフィルタで事前に微粒子を取り除いておく。また、信号の強さに応じて煙の濃度を識別する。
【００３７】
２．一部分の画素が反応した場合はホコリまたは花粉と判断する。
微粒子により遮蔽された部分を認識するために２値化を行う。図３は、その２値化を図式化した図である。ほこりの形状が、例えば、（ａ）に示すような寸法、形状のものであるとすれば、それは、２値化により、（ｂ）に示すような画像として認識される。２値化を行うためのパラメータをV_detect_2とし、この閾値V_detect_2 以上の信号を出力している画素がカウントの対象となる。このカウント数は微粒子の入射光に対する光遮断断面積に比例する。このカウントした画素数から20um以下あるいは50um以上と判断される微粒子はホコリと判断する。
【００３８】
３．上の微粒子の寸法測定の結果、微粒子の大きさが２０ミクロン以上、５０ミクロン以下と判断された場合は花粉の可能性もある。したがってこの場合は別な方式による判別が必要である。一般に、ホコリは花粉に比べて軽いために、気流にのる移動速度が速い。そこで浮遊粒子の移動速度を計算し、その移動速度がある一定以上の場合はホコリと判断し、それ以外は花粉と判断する。気流が上昇気流でなく、微粒子が上から下へ流れるような場合には移動速度が速い微粒子を花粉と判断し、遅い微粒子をホコリと判断する。
【００３９】
速度の値は、隣接する単位時間での２枚の画像を取り込みその画像の移動距離とフレーム時間から計算する。図４には、２値化した画像信号の時間変化が示される。この例では、粒子が上方向へ移動することが認識される。画像情報から粒子の移動を認識するためには、従前から類似の技術で用いられている相関値を利用することができる。移動速度の決定の結果、それが予め決めておいたある一定速度以上あるいはそれ以下である場合には、それぞれホコリ・花粉であると識別できる。
【００４０】
本説明では煙・ホコリ・花粉といった微粒子の検出を主に説明をおこなったが、本装置の解析アルゴリズムを改良することで、吸入される気体の中に含まれる微粒子の大きさ、または重さに関してある時間に通過する粒子のヒストグラムを作成することも可能である。この結果からどういった微粒子が室内や屋外に存在するのか解析することも可能になる。
【００４１】
図５は、光検出器の変形例を説明する図である。上述の例では、光検出器としてのイメージセンサは、１００×１００程度のマトリクス状の検出要素を備えたものとされる。しかしながら、光検出器は、必ずしもマトリクス状の検出要素を備える必要はなく、図５のように、検出要素５１がストライプ状に配置されたものでも利用可能である。即ち、本装置では、気流を発生させたときの微粒子の移動する方向は、気流に沿った方向として決められるので、検出要素５１が微粒子の移動方向に直交する方向に細長にして延びるようにしたストライプ構造の光検出器５０を用いて、前述の例と同様の粒子検出が可能である。
【００４２】
図５（ａ）、（ｂ）は、光検出器５０を用いたときの、それぞれ異なる時間での粒子検出を示しており、各図で、左に光検出器と粒子との位置関係を、右側に出力値をそれぞれ示している。図５（ａ）は初期状態を示し、（ｂ）は、その一定時間後の状態を示している。ストライプを構成する各検出要素５１は、画像の面積にほぼ比例関係にある信号を出力することができる。従って、出力値を確認・比較することで、その時間における粒子の位置、及び粒子の移動速度が認識される。例えば、ストライプ状を成す光検出要素５１のそれぞれから得られたデータを、空間フィルタを用いてセンシングデバイスのように処理することにより、微粒子の大きさ、その移動速度を簡易に求めることができる。ただし、この場合粒子寸法と移動速度にはある種のトレードオフが存在する。
【００４３】
この方式によれば、マトリクス状のイメージセンサを用いた場合に比較して、処理するデータの量を減らせるので、データ処理をより簡単に、高速に行うことができるという利点を有する。
【００４４】
図６は、本発明の第２の実施形態となる粒子検出装置の構成を示す概略図である。第１の実施形態では透過光を用いた方式による粒子検出装置を示したが、図６に示すような反射・散乱光を測定することによる方法でも煙粒子・ホコリ・花粉を検出することができる。各要素は、図１に示した同じ作用する要素に付した番号に１００を加えて参照番号を付して、その作用等の説明は省略する。
【００４５】
光源１２０、及び検出装置１３０の位置関係に関して、図６中には、それらは気流を挟んで逆側に置かれるが、そのような配置でなくとも良い。例えば、光源と検出装置とが気流の同じ側にあっても良く、その場合に、光源による照射は、気流の上流側、及び下流側のいずれからも行うことが出来る。また、光源及び検出装置は、気流に直交する平面内に位置し、図１のような直線的な配置でなく、当該面内で傾斜方向に向けて配置されても良い。
【００４６】
第１の実施形態による装置では常に透過光が入射されているために、検出側の入力レンジをある程度保っておかなければならず、その結果、測定を適切に行えないおそれがある。これに対して、第２の実施形態の装置検出系ではイメージセンサのダイナミックレンジを上手く活用できるので、高感度微粒子測定に向くという利点を有する。
【００４７】
以上のように、本発明の最良の実施形態となる粒子検出装置及びその検出方法について、詳細に説明したが、これらはあくまでも例示的なものであり、本発明を制限するものではなく、当業者によってさらに様々な変形、変更が可能である。
【００４８】
例えば、検出対象となる微粒子が光学系に付着するのを防止するため、適当な位置に、機械的な或いは追加の空気流によるワイパー手段を設けることもできる。
【００４９】
さらに、粒子検出装置自体が気流発生・制御手段を有さず、ユーザの手動の方法により気流を発生させるようにしても良い。例えば、装置本体を振動させることにより気流を発生することもできる。この場合、光検出作用への外乱による影響を軽減するために、照射する光の波長に合った光学フィルタをイメージセンサの前段に設け、レンズの焦点距離を短くする必要がある。
【産業上の利用可能性】
【００５０】
この装置は空気清浄機、エアコン、掃除機、換気扇、火災報知器、環境測定用センサ、クリーンルームでの微粒子検出装置といったホコリ、花粉、煙等微粒子を感知する装置に関連して応用が可能である。
【図面の簡単な説明】
【００５１】
【図１】本発明の第１の実施形態となる粒子検出装置の構成を示す概略図である。
【図２】光素子の動作及びイメージセンサの露光の動作タイミングを示すタイムチャートである。
【図３】粒子像の２値化を図式化した画像情報を示す図である。
【図４】２値化した画像信号の時間変化を示す図である。
【図５】光検出器の変形例を示す図であり、それぞれ異なる時間での粒子検出を示しており、各図で左に光検出器と粒子との位置関係を、右側に出力値をそれぞれ示す図である。
【図６】本発明の第２の実施形態となる粒子検出装置の構成を示す概略図である。
【符号の説明】
【００５２】
１０、１１０  粒子検出装置
１５、１１５  気流発生・制御装置
２０、１２０  光源
２１、１２１  発光素子
３０、１３０  検出装置
３１、１３１  光検出器
【図１】
2007057360.tif 000003
【図２】
2007057360.tif 000004
【図３】
2007057360.tif 000005
【図４】
2007057360.tif 000006
【図５】
2007057360.tif 000007
【図６】
2007057360.tif 000008